(57)【要約】  通気防水性ハンドウェアの形成方法が開示される。該方法は、外側シェル，使用者の手からの熱伝達を抑制する裏地，及び通気防水性を備えた挿入部分を設ける工程と、前記外側シェル及び前記裏地の指部に熱活性型接着剤を塗布する工程と、前記外側シェル，挿入部分，及び裏地を組付ける工程と、前記熱活性型接着剤を硬化または活性化させて、前記各層の間を接着する工程とを備える。このプロセスを利用して製造される防水性ハンドウェアも開示される。
2011504553.tif 000002
【特許請求の範囲】
【請求項１】
防水性及び通気性を有するハンドウェアを形成する方法であって、
シェル，裏地，及び挿入部分のうち一つを設ける工程であって、前記シェルは使用者の手及び指を受入れるように寸法が定められた内部空間を備え、前記シェルは前記ハンドウェアの外面であるシェル外面と、前記シェル外面の反対側のシェル内面とを備え、前記シェルは前記使用者の指を受入れるシェル指部と、前記使用者の手を受入れる手部を備え、前記裏地は熱の伝達を抑制するように構成された材料から形成され、前記裏地は前記使用者の手に接触して配置される裏地外面と、前記裏地外面の反対側の裏地内面とを備え、前記裏地外面及び前記裏地内面は前記シェル指部に整合するように寸法が定められた裏地指部を備え、前記挿入部分は防水性及び通気性を有するように形成され、前記挿入部分は前記シェル内面に向かって配向された第一面と、前記裏地内面に向かって配向された第二面とを備え、前記第一面及び前記第二面は前記シェル指部及び前記裏地指部に整合するように寸法が定められた挿入部分指部を備える工程と、
前記裏地指部における前記裏地内面と、前記挿入部分指部における前記挿入部分の第二面との一方の上に熱活性型接着剤を塗布する工程と、
前記シェル指部における前記シェル内面と、前記挿入部分指部における前記挿入部分の第一面との一方の上に熱活性型接着剤を塗布する工程と、
前記挿入部分指部における前記挿入部分の第二面が前記裏地指部における前記裏地内面に近接し、かつ前記挿入部分指部における前記挿入部分の第一面が前記シェル指部における前記シェル内面に近接するように、前記挿入部分を前記裏地及び前記シェルに組付ける工程と、
前記組付けられたシェル，挿入部分，及び裏地の前記接着剤により、前記挿入部分指部における前記挿入部分を前記シェル指部及び前記裏地指部の各々に接着する工程とを備える方法。
【請求項２】
前記接着剤は、まず前記裏地指部における前記裏地内面と、前記挿入部分指部における前記挿入部分の第二面との一方に塗布される、請求項１に記載の方法。
【請求項３】
前記接着剤は、次に前記シェル指部における前記シェル内面と、前記挿入部分指部における前記挿入部分の第一面との一方に塗布される、請求項２に記載の方法。
【請求項４】
前記熱活性型接着剤は、前記裏地内面，前記第二面，前記シェル内面，及び前記第一面に塗布される時、液体状である、請求項１に記載の方法。
【請求項５】
前記接着剤を活性化して、接着する工程は、約５秒から約４５秒の時間、前記組付けられたシェルをカ氏約１５０度（摂氏約６５．５６度）からカ氏約３５０度（摂氏約１７６．６７度）の温度に加熱する工程を備える、請求項１に記載の方法。
【請求項６】
前記接着剤を活性化し接着する工程の前に、前記シェル及び前記裏地の間の前記挿入部分を平滑化し、前記挿入部分の折り目又はしわを除去する工程をさらに備える、請求項１に記載の方法。
【請求項７】
前記シェル指部及び前記裏地指部はマチ部を備えて形成された少なくとも一本の指を有し、前記裏地指部及び前記シェル指部に前記接着剤を塗布する工程は、前記裏地のマチ部と、前記シェルのマチ部との一方のみに前記接着剤を塗布する工程を備える、請求項１に記載の方法。
【請求項８】
前記シェル指部及び前記裏地指部は少なくとも一本の指を備え、前記裏地指部及び前記シェル指部に前記接着剤を塗布する工程は、前記裏地の指と、前記シェルの指との一方のみに前記接着剤を塗布する工程を備える、請求項１に記載の方法。
【請求項９】
前記少なくとも一本の指は側部を備え、前記接着剤は前記裏地の側部と、前記シェルの側部との一方に塗布される、請求項８に記載の方法。
【請求項１０】
前記シェル，前記裏地，及び前記挿入部分は親指部を備える、請求項１に記載の方法。
【請求項１１】
前記親指部における前記裏地内面と、前記親指部における前記挿入部分の第二面との一方に前記接着剤を塗布する工程と、
前記親指部における前記シェル内面と、前記親指部における前記挿入部分の第一面との一方に前記接着剤を塗布する工程と、
前記組付けられたシェル，挿入部分，及び裏地の前記接着剤を活性化して、前記挿入部分を前記シェル及び前記裏地の親指部において接着する工程とをさらに備える、請求項１０に記載の方法。
【請求項１２】
シェルを設ける工程は、前記シェル外面を内側に配向させ、かつ前記シェル内面を外側に配向させて構成して前記シェルを設ける工程をさらに備え、
前記挿入部分を前記裏地及び前記シェルに組付ける工程は、前記シェル外面を外側に配向させ、かつ前記シェル内面を内側に配向させるとともに、前記シェル内面を前記挿入部分の第一面向きに、かつ近接するように前記シェルを再構成する工程をさらに備える、請求項１に記載の方法。
【請求項１３】
ハンドウェアであって、
使用者の手及び指を受入れるように寸法が定められた内部空間を備えるシェルであって、前記シェルは前記ハンドウェアの外面であるシェル外面と、前記シェル外面の反対側のシェル内面とを備え、前記シェルは前記使用者の指を受入れるシェル指部と、前記使用者の手を受入れる手部とを備えるシェルと、
使用者の手からの熱の伝達を抑制するように構成された材料から形成される裏地であって、前記裏地は前記使用者の手に接触して配置される裏地外面と、前記裏地外面の反対側の裏地内面とを備え、前記裏地外面及び前記裏地内面は前記シェル指部に整合するように寸法が定められた裏地指部を備える裏地と、
防水性及び通気性を有するように形成される挿入部分であって、前記挿入部分は前記シェル内面を向く第一面と、前記裏地内面を向く第二面とを備え、前記第一面及び前記第二面は前記シェル指部及び前記裏地指部に整合するように寸法が定められた挿入部分指部を備える挿入部分と、
前記シェル内面の前記シェル指部及び前記第一面の前記挿入部分指部に接着する第一部分の熱活性型接着剤と、
前記裏地内面の前記裏地指部及び前記第二面の前記挿入部分指部に接着する第二部分の熱活性型接着剤とを備えるハンドウェア。
【請求項１４】
前記シェル指部，前記裏地指部，及び前記挿入部分指部において少なくとも一本の指をさらに備える、請求項１３に記載のハンドウェア。
【請求項１５】
四本の指をさらに備える、請求項１４に記載のハンドウェア。
【請求項１６】
前記シェル指部及び前記裏地指部における前記指はマチを備える、請求項１４に記載のハンドウェア。
【請求項１７】
前記第一部の接着剤は、前記シェル指部及び前記裏地指部において前記マチのみに接着する接着剤を含む、請求項１６に記載のハンドウェア。
【請求項１８】
前記シェル，前記裏地，及び前記挿入部分は親指部を備える、請求項１３に記載のハンドウェア。
【請求項１９】
前記第一部の接着剤は、前記シェル内面の前記シェルの親指部と、前記第一面の前記挿入部分の親指部とに接着する接着剤を含み、
前記第二部の接着剤は前記裏地内面の前記裏地の親指部と、前記第二面の前記挿入部分の親指部とに接着する接着剤を含む、請求項１８に記載のハンドウェア。
【発明の詳細な説明】
【技術分野】
【０００１】
本発明は防水ハンドウェアに関し、かつ防水ハンドウェアの形成方法に関する。
【発明の概要】
【０００２】
本発明の第一の例示的実施形態は防水性及び通気性を備えたハンドウェアの形成方法である。該方法は、まず一般的に、使用者の手を覆うように寸法が定められたシェルであって、ハンドウェアの外面であるシェル外面、及びシェル外面の反対側のシェル内面を備えるシェルを設ける工程と、熱の伝達を遅らせるように構成された材料から形成される裏地であって、使用者の手に接触して配置される裏地外面、及び裏地外面の反対側の裏地内面を備える裏地を設ける工程とを有する。該方法は、防水性及び通気性を有する挿入部分であって、シェル内面に対向する第一面，及び裏地内面に対向する第二面を備える挿入部分を設ける工程も有する。熱活性型接着剤が裏地内面及び挿入部分の第二面の少なくとも一方と、シェル内面及び挿入部分の第一面の少なくとも一方とに塗布される。その後、挿入部分は、挿入部分の第二面が裏地内面に近接し、かつ挿入部分の第一面がシェル内面に近接するように、裏地及びシェルに組付けられる。最後に、組付けられたシェル，挿入部分，及び裏地は熱活性型接着剤を活性化するように加熱され、挿入部分はシェル及び裏地の各々に接着される。
【０００３】
本発明のさまざまな実施形態において、接着剤はシェル又は裏地と挿入部分との間の所定の領域だけに塗布される。例えば、一実施形態において、熱活性型接着剤は裏地の一部と使用者の掌を向くシェルの一部とに塗布され、別の実施形態において、熱活性型接着剤は裏地の一部と使用者の掌の反対のハンドウェア側を向くシェルの一部とに塗布される。別の実施形態において、熱活性型接着剤は裏地の一部と、使用者の指を向くシェルの一部とに塗布される。さらに別の実施形態において、熱活性型接着剤はシェル及び裏地の指部の側部又は側部パネルに塗布される。
【０００４】
熱活性型接着剤は、望ましくは、加熱前は粉末又は液体状であって、加熱後は固体状であり、接着剤は、接着剤が活性化され、かつ各層を接着するまで、挿入部分がシェル及び裏地に対して移動することを妨げない。この事実は裏地からしわや折り目を除去し、かつ部品の正確な整合を保証することを可能とする。例えば、熱活性型接着剤は接着剤を完全に活性化し、かつ各層を接着するために、約５秒から約４５秒の間、カ氏約１５０度（摂氏約６５．５６度）以上の温度に加熱される必要がある。
【０００５】
従って、上述の例示的実施形態は、組付けられたシェル，挿入部分，及び裏地を完全に加熱して、熱活性型接着剤を活性化することによって、挿入部分をシェル及び裏地の各々に接着する前に、シェル及び裏地の間の挿入部分を平滑化し、挿入部分のしわや折り目を除去する工程を含むことが望ましい。
【０００６】
この実施形態の別の変形において、ハンドウェアは手袋であり、シェル及び裏地の各々は、間に側部を備える少なくとも二本の指部を有する。これらの側部において、接着剤によって生じる折り目や通気性の悪化の心配が少ないため、熱活性型接着剤はこれらの側部に塗布されることが望ましい。一実施形態において、接着剤は親指部と、指の側部とだけに塗布される。別の実施形態において、側部は所望形状の手袋を形成するために用いられる組付けられた側部パネル、即ちマチである。
【０００７】
この実施形態の別の変形において、シェルを設ける工程は外面を内側に配向させ、かつ内面を外側に配向させて構成して前記シェルを設ける工程をさらに備え、前記熱活性型接着剤を前記シェル内面に塗布する工程は前記シェル内面の各部に前記熱活性型接着剤を塗布する工程をさらに備え、前記シェルを前記挿入部分及び前記裏地に組付ける工程は前記外面を外側に配向させ、かつ前記内面を内側に配向させるとともに、前記シェルの内面を前記挿入部分の第一面に向かって配向させ、かつ近接するように前記シェルを再構成する工程を備える。
【０００８】
本発明の別の望ましい実施形態は手袋である。手袋は望ましくは、熱の伝達を抑制するように構成された材料から形成される裏地であって、使用者の手に接触して配置される裏地外面、及び前記裏地外面の反対側の裏地内面を備え、前記裏地は使用者の掌に近接する掌部と使用者の親指及び指を受入れるように寸法が定められた親指部及び指部とを備えるように形成され、前記指部はそれぞれ互いに近接する側部を備える裏地と、内面及び反対側で外に向かって配向された外面を備えるシェルであって、使用者の掌に近接する掌部と使用者の親指及び指を受入れるように寸法が定められた親指部及び指部とを備えるように形成され、前記指部の少なくとも一本はそれぞれ互いに近接する側部を備えるシェルと、防水性及び通気性を有する挿入部分であって、前記シェル内面に向かって配向された第一面，及び前記裏地内面に向かって配向された第二面を備える挿入部分と、前記シェル内面の前記側部を前記挿入部分の第二面に接着する第一部の熱活性型接着剤と、前記裏地内面の前記マチを前記挿入部分の第一面に接着する第二部の熱活性型接着剤とを備える。
【０００９】
本明細書で用いられるように、「少なくとも一つ」、「一つ以上」、及び「及び／又は」は作用において、結合的でもあり、選言的でもある変更可能な表現である。例えば、「Ａ，Ｂ，及びＣの少なくとも一つ」、「Ａ，Ｂ，又はＣの少なくとも一つ」、「Ａ，Ｂ，及びＣの一つ以上」、「Ａ，Ｂ，又はＣの一つ以上」、及び「Ａ，Ｂ，及び／又はＣ」という表記の各々はＡだけ、Ｂだけ、Ｃだけ、ＡとＢと共に、ＡとＣと共に、ＢとＣと共に、ＡとＢとＣと共にを意味する。
【００１０】
本発明のさまざまな実施形態は、本明細書において提供され、かつ請求項によって具現化される図面及び詳細な記載で説明される。しかしながら、この発明の概要は、本発明の一つ以上の態様及び実施形態の全てを含まず、如何なる意味でも本発明を限定するものではない。本願で開示される発明は明らかな改良と修正とを含むことが当業者によって理解される。
【００１１】
本発明のさらなる利点が以下の記載から、特に図面と共に参照される時、容易に明らかになるであろう。
【図面の簡単な説明】
【００１２】
【図１】本発明の一実施形態による手袋の背面図。
【図２】本発明の一実施形態による手袋の正面図。
【図３Ａ】本発明の一実施形態による手袋の第一領域の部分断面図。
【図３Ｂ】本発明の別の態様による手袋の第二領域の部分断面図。
【図４】本発明の一実施形態による手袋のシェル内面への接着剤の塗布の様子を示す図。
【図５】本発明の一実施形態による手袋の裏地内面への接着剤の塗布の様子を示す図。
【図６】本発明の一実施形態による通気防水性の手袋挿入部分を示す図。
【図７Ａ】本発明の一実施形態による手袋の挿入部分内に挿入される手袋の裏地を示す図。
【図７Ｂ】本発明の一実施形態による手袋の裏地が挿入されている手袋の挿入部分を示す図。
【図８】本発明の方法による組付けられているが、まだ接着されていない手袋親指部の親指の型への配置を示す図。
【図９】本発明の一実施形態による組付けられているが、まだ完全に接着されていない手袋指部の四本指の型への配置を示す図。
【図１０】本発明の一実施形態による組付けられているが、まだ完全に接着されていない手袋の裏地のしわを平滑化する様子を示す図。
【図１１】本発明の一実施形態による手袋を加熱する一つの方法を示す図。
【発明を実施するための形態】
【００１３】
本発明の上述の、及び他の利点や特徴をより明確にするために、図面に示す特定の実施形態を参照して本発明をより詳細に説明する。これらの図面は、本発明の典型的な実施形態のみを示し、故に、権利範囲を限定するものではない。本発明は、図面を用いてより具体的に、より詳細に記載され、説明される。図面は必ずしも一定の縮尺ではない。
【００１４】
本発明の例示的実施形態のさまざまな態様を記載するために図面を参照する。図面はこのような例示的実施形態の略図的及び概念的表記であり、本発明を限定するものではなく、必ずしも一定の縮尺で描かれていない。
【００１５】
以下の記載において、本発明の理解を深めるために多くの細部を説明する。しかしながら、本発明はこれらの詳細な説明がなくても実施可能であることが当業者にとって明らかになるであろう。他の実施例において、織物，防水性の挿入部分，ハンドウェア等の衣類品を形成する方法の周知の態様は、本発明を不必要に不明瞭にすることを防ぐために、特に詳細には記載していない。
【００１６】
さて、図１及び２を参照すると、それぞれ外側シェル１０，３０を備え、かつ使用者の手を受入れるように寸法が定められた内部空間を備えた手袋５，２５が示されている。しかしながら、本発明は手袋に限定されず、本発明の実施形態は、本明細書の記載の観点から当業者にとって明らかとなるように、ミトン、ミット、シェル、ガントレット、及び他の類似のハンドウェア等の他の形態のハンドウェアとして実施可能である。
【００１７】
図１は手袋１０の背面、即ち掌の反対側を示し、手袋は一般に、リスト部１２と、使用者の手を受入れるボディ、即ち手部１４と、使用者の親指を受入れる親指部１６と、使用者の指を受入れる指部１８とを備える。ボディ部１４は手の甲部２０と、掌部（図１には図示せず）とを備える。指部１８は少なくとも一つの指部材を備え、図１の実施形態においては四本の指部材２２が示されているが、指部材２２を持たないミトン等のように、指部１８の他の実施形態はより少ない指部材２２を備えたり、人差し指を有するシューティングミット等のように、場合によっては親指部１６を持たず、一つの指部材２２を備えたり、他の変形を含む。図示された実施形態において、指部１８は側部、より具体的には指部材２２の間に示されたマチ部材２４をさらに備える。この実施形態において、マチ部材２４は、指部材２２に縫合された織物又は材料の個別の部品等の、指部材２２から分離した要素である。しかし、マチ部材２４の他の実施形態は指部材２２と連続的な、もしくは一体化された部品を含む。
【００１８】
図２は本発明の別の実施形態による外側シェル３０を備えた手袋２５の前面、即ち掌側を示す。ときにガントレット型と呼ばれる手袋５はボディ即ち手部１４と連続して形成されるリスト部１２を備えるのに対し、手袋２５は分離したボディ部３２及びリスト部３４を備える。使用者の手を受入れるボディ即ち手部３２は手の甲部（図示せず）及び掌部４０を備える。一実施形態において、掌部４０は耐摩耗性を提供するために貼付された掌用パッチ４２（限定しない例として、ＰＶＣ，革，ゴム，シリコン，及び他の類似の材料から形成される）を備える。上述のように指部３８及び親指部３６は、手袋，ミトン，ミット，及び他のハンドウェアの種類に応じて変わるが、手袋２５も一般的には、使用者の親指を受入れる親指部３６と、使用者の指を受入れる指部３８とを備える。指部３８は少なくとも一つの指部材４４を備える。図２の実施形態において、四つの指部材４４が示されている。図示した実施形態において、指部材４４は上述のマチ部材２４と同様に、指部材４４の間にマチ部材４６をさらに備える。
【００１９】
さて、図３Ａ及び３Ｂを参照すると、手袋５，２５の第一領域１００の層構造が図３Ａにおいてブロック形式で示されている。手袋５，２５の第二領域の層構造が図３Ｂにおいてブロック形式で示されている。
【００２０】
図３Ａ及び３Ｂの各々において、層構造１００はシェル１０２，裏地１１２，及び両者間の通気防水性の挿入部分１０６を備える。実際には、シェル１０２は図１及び２のハンドウェア５，２５の外層、即ち外側シェル１０，３０をそれぞれ形成する。裏地１１２は使用者の手と接触する内層を形成し、挿入部分１０６はハンドウェアに通気性を維持しながら防水特性を付与する。従って、シェル１０２は使用者の手を覆うように寸法が定められることが望ましく、外側シェル１０，３０の外面を形成するシェル外面１０８と、シェル外面１０８の反対側のシェル内面１１０とを備える。シェル１０２を形成するのに適切な材料は周知であり、フリース，ネオプレン，ライクラ（登録商標）を備えた毛織物，及び類似の材料等の織物又は他の可撓性材料や、革及び他の材料等の単層及び多層の両材料を含む。シェル１０２も、手袋製造業における当業者にとって周知であるように、例えば、分離又は一体化されたリスト，ボディ，親指，指，及びマチ領域を含む複数の部品から形成されることが望ましいが、本発明の特定の実施形態においては一体化シェル１０２が形成され、かつ用いられることができる。
【００２１】
裏地１１２は、使用者の手から周囲への熱の伝達を抑制するか、遅らせ、かつ使用者の手に快適さを提供するように構成された材料から形成されることが望ましい。ひいては、裏地１１２は使用者の手に接触して配置される裏地外面１１６と、裏地外面１１６の反対側の裏地内面１１４とを備える。裏地１１２も単層又は多層の材料から形成されることができ、限定しない例としては、フリース，ネオプレンと積層させたフリース，ライクラ（登録商標）を備えた毛織物，及び類似の材料等から形成される。シェル１０２と同様に、裏地１１２も、手袋製造業における当業者にとって周知であるように、例えば、分離又は一体化されたリスト，ボディ，親指，指，及び側部パネル（マチ）領域を含む複数の部品から形成されることが望ましいが、本発明の特定の実施形態においては一体化裏地１１２が形成され、かつ用いられることができる。
【００２２】
挿入部分１０６は、シェル１０２又は裏地１１２によって付与されない防水性及び通気性の少なくとも一方の特性をハンドウェアにもたらす。挿入部分１０６は、シェル１０２に向かって配向され、より詳細には、シェル内面１１０に向かって配向された第一面１１８を備える。挿入部分１０６は、裏地１１２に向かって配向され、より詳細には、裏地内面１１４に向かって配向された第二面１２０も備える。
【００２３】
挿入部分に適した材料は、望ましくは、柔軟であるとともに、水等の液体に対して抵抗性を有し、かつ空気や汗などの蒸気に対して通気性を有する。望ましい挿入部分は熱可塑性ポリウレタン材等のポリウレタン，ポリエステル，ポリアミド，他の適切な膜状材料から製造されたエラストマから形成され、それらは周知の所望の物理的特性を備える。
【００２４】
図３Ｂに示すように、熱活性型接着剤の層１３０，１３２が、挿入部分１０６とシェル１０２との間、及び挿入部分１０６と裏地１１２との間に配置されることができる。熱活性型接着剤１３０，１３２は、過剰で望ましくない厚さをもたらすことなく、近接する層を接合するために十分な厚さで塗布される。熱活性型接着剤は当技術分野において周知であり、熱活性型接着剤は、使用者の通常の活動で発生する温度よりも高く、手袋を形成するために用いられた他の材料の溶融又は燃焼温度よりも低い温度で溶ける、即ち活性化されるように選択される。
【００２５】
本発明によると、シェル１０２及び裏地１０６が近接している全ての場所では、挿入部分１０６をシェル１０２及び裏地１０６に接合するために熱活性型接着剤を使わないことが望ましい。これは、熱活性型接着剤層１３０，１３２が手袋の構造的完全性を維持する一方で、熱活性型接着剤は他の層より通気性が劣り、また、以下でより詳細に述べるように、挿入部分１０６に望ましくない折り目又は隆起を及ぼし得るからである。
【００２６】
一つの例示的実施形態において、熱活性型接着剤はシェル及び裏地の側部、即ちマチ領域をそれぞれ挿入部分に近接する部分に接合するためだけに用いる。別の実施形態において、熱活性型接着剤は、存在する場合には任意の個々の指、存在する場合には親指部を含むシェル及び裏地の指部を挿入部分に接合するために用いられる。熱活性型接着剤がマチ領域，指部，親指部に塗布されるこれらの実施形態において、熱活性型接着剤は実質的にその領域だけに塗布される。実質的にその領域だけというのは、この場合、接着剤のスプレーしぶきが手の甲部または掌部等のハンドウェアの他の部分、又は領域に不注意に塗布され得る際に、接着剤がそれらの他の領域又は部分に塗布されることを防ぐように努めることを意味する。つまり、熱活性型接着剤はハンドウェア、又は手袋の手の甲部や掌部に意図的に用いられない。
【００２７】
ハンドウェア又は手袋の手の甲部あるいは掌部に接着剤が用いられない実施形態においては、挿入部分はシェル及び裏地に対して移動可能であるため、ハンドウェアの可撓性が増加する。本発明の一実施形態において、挿入部分は手の甲パネル及び掌パネルで形成され、手の甲パネルは掌パネルより大きく形成され、手袋が握った形状に近づく際に手袋の屈曲をさらに容易にする。
【００２８】
さらに別の実施形態において、熱活性型接着剤は指部，親指部の一部又は全体と、手袋の掌部の一部又は全体とに塗布される。さらなる実施形態において、接着剤は掌部又は掌側の代わりに手の甲部の領域に塗布され、あるいは、例えば、接着剤を受入れる予測上の限定領域にステンシルを用いることによって、裏地又はシェルの所定の領域に塗布される。
【００２９】
さて、図４から１１を参照すると、防水ハンドウェアを形成する一つの例示的方法が示されている。図４に示すように、図１及び２の外側シェル１０，３０と、図３Ａ及びＢのシェル１０２とに対応するシェル２０２は反転されており、即ち裏返しになっており、上述した図３Ｂの熱活性型接着剤１３０，１３２の種類の熱活性型接着剤２０４を受入れる準備中において、（図３Ａ及びＢのシェル内面１１０に対応する）シェル内面２２０が露出されている。その後、周知のエアゾールスプレー塗布器，機械式塗布器，ローラ，又は他の接着剤塗布器具または技術等の接着剤塗布器２０８によって熱活性型接着剤２０４が塗布される。この実施形態において、熱活性型接着剤２０４は、シェル２０２の掌側上のシェル２０２の指２２２，マチ部２２４，及び親指部２１６を含む指部２１８上のシェル内面２２０にだけ塗布される。しかし、シェル２０２の掌領域２４０は熱活性型接着剤２０４を少しも受入れない。この事実は、指部２１８及び親指部２１６における熱活性型接着剤２０４の挿入部分２０６に対する接合を保証しつつ、手袋の手の甲部及びシェル２０２の掌に対向する側の掌領域２４０の通気性を向上させる。
【００３０】
図５に示すように、裏地２１２は図３Ａ及びＢの裏地１１２に対応し、上述した図３Ｂの熱活性型接着剤１３０，１３２の種類の熱活性型接着剤２０４を受入れる準備中において、（図３Ａ及びＢにおける裏地内面１１４に対応する）裏地内面２４０が露出されている。つまり、裏地２１２は、上述したシェル２０２のように反転、即ち裏返しにはなっていない。裏地２１２及びその全ての要素の寸法は、シェル２０２及び挿入部分２０６の対応する要素に整合するように定められる。
【００３１】
その後、熱活性型接着剤２０４は接着剤塗布器２０８によって塗布される。この実施形態において、熱活性型接着剤２０４は、裏地２１２の掌側上の裏地２１２の指２４４，マチ部２４８，及び親指部２３２を含む指部２３６上の裏地内面２４０にだけ塗布される。しかしながら、裏地２１２の掌領域２８０は熱活性型接着剤２０４を少しも受入れない。この事実は、指部２３６及び親指部２３２における熱活性型接着剤２０４の挿入部分２０６に対する接合を保証しつつ、手袋の手の甲部及び裏地２１２の掌に対向する側の掌領域２８０の通気性を向上させる。
【００３２】
上述したように、別の実施形態において、熱活性型接着剤２０４は、以下でより詳しく述べるように、シェル２０２及び裏地２１２の側部、即ちマチ領域２２４，２４８にのみ、それぞれ挿入部分２０６の近接した部分に対して塗布される（図６，７Ａ，７Ｂ）。別の実施形態において、熱活性型接着剤２０４は、存在する場合には任意の個々の指２２２，２２４、存在する場合には親指部２１６，２３２をそれぞれ含むシェル２０２及び裏地２１２の指部２１８，２３６（図４及び５）を挿入部分２０６に接合するために用いられる（図６，７Ａ，７Ｂ）。別の実施形態において、熱活性型接着剤はシェル２０２及び裏地２１２の指部２１８，２３６及び親指部２１６，２３２の一部又は全体と、掌領域２４０，２８０の一部又は全体とにそれぞれ塗布される。さらなる実施形態において、熱活性型接着剤２０４は掌領域の代わりに手の甲部の領域に塗布され、あるいは、例えば、熱活性型接着剤２０４を受入れる予測上の限定領域にステンシルを用いることによって、裏地２１２又はシェル２０２の所定の領域に塗布される。
【００３３】
より一般的には、図４から７Ｂによく示されるように、図３Ａ及び３Ｂの挿入部分１０６に示す種類の材料から製造された挿入部分２０６は、望ましくは、防水性及び通気性の少なくとも一方を有する二枚の対向する膜として形成され、該膜は（図４に示す）シェル２０２及び（図５に示す）裏地２１２の形状を反映する手の形状をした袋を形成するように縁部においてシールされる。より詳細には、挿入部分２０６は、シェル２０２（図４）のシェル内面２２０に向かって配向された第一面２１８（図６）を備える。第一面２１８は図３Ａ及びＢに示す挿入部分１０６の第一面１１８に対応する。挿入部分２０６は裏地内面２４０（図５）に向かって配向された第二面２３９も備える。第二面２３９は図３Ａ及びＢに示す挿入部分１０６の第二面１２０に対応する。挿入部分２０６及びその全ての要素の寸法は、シェル２０２及び裏地２１２の対応する要素に整合するように定められる。
【００３４】
熱活性型接着剤２０４は上述した図４及び５のシェル内面２２０及び裏地内面２４０に塗布されるが、本発明の様々な実施形態において、熱活性型接着剤２０４は、代わりに又は付加的に、挿入部分２０６に塗布されることができる。例えば、熱活性型接着剤２０４は、存在する場合には任意の個々の指２８４、存在する場合には親指部２８６を含む第一面２１９及び第二面２３９の一つ又は両方上の指部２８２に塗布されることができる。当然、第二面２３９に熱活性型接着剤２０４を塗布するために、挿入部分２０６は裏返されなければならない。他の実施形態は挿入部分２０６の掌領域２８８に熱活性型接着剤２０４を塗布することを含む。
【００３５】
従来、防水性挿入部分／袋２０６は、折り目と挿入部分２０６の移動とに対応するために必要な寸法よりかなり大きな寸法で典型的に形成されている。本願で開示される接着の方法及び構造によれば、このことは必要なくなる。一方、本発明による望ましい挿入部分２０６は、最終的な手袋の寸法により適合するようにカスタム設計され、形成される。さらに、従来の防水手袋は所定の位置に挿入部分及び裏地を保持するために手袋の指先で縫合する。本願で開示される接着の方法及び構造では、このことは必要ない。
【００３６】
図６，７Ａ及び７Ｂにおいて、挿入部分２０６が示され、図５の部分的に接着剤が塗布された裏地２１２を挿入部分２０６内に挿入する動作が示されている。より詳細には、裏地２１２はリスト開口２９４を通って矢印２９２の方向に沿って挿入部分２０６内に挿入され、裏地２１２の任意の指２４４及び親指部２３２を備えた指部２３６は挿入部分２１２の任意の指２８４及び親指部２８６を備えた指部２８２に近接して配置される。この過程は、図７Ｂに示す手２９０等の人の手によって、あるいは自動プロセスによって実施可能である。
【００３７】
図７Bにおいて、結合された裏地／挿入部分２９６は、裏地２１２を覆う挿入部分２０６の任意のしわ又は隆起を低減し、最小化し、かつ、望ましくは、除去するように、挿入された裏地２１２（図示せず）を覆って平滑化された挿入部分２０６を備える。図７Ｂには人の手２９０が描かれているが、この過程は自動プロセスでも実施可能である。
【００３８】
図示していない次の工程において、図４の反転されたシェル２０２は、過程中に図７の結合された裏地／挿入部分２９６を覆うように引出され、裏向きになり、図１及び２の外側シェル１０，３０の外面に対応するシェル外層は外側を向き、熱活性型接着剤２０４を備えたシェル内層２２０は結合された裏地／挿入部分２９６に対向する。あるいは、反対にされたシェル２０２が、まず裏向きにされ、図７Ａ及びＢにおいて裏地２１２が挿入部分２０６内に挿入された時と同様の方法で、結合された裏地／挿入部分２９６がシェル２０２内に挿入されることもできる。
【００３９】
さらなる実施形態は、まずシェル２０２を挿入部分２０６に結合し、次に本開示から理解されるように裏地２１２を結合することを含む。
図８及び９において、指部８０１及び選択的指８０２を備えたハンドウェア形成マンドレル又はアイロン８００（本実施形態においては四本の指用マンドレル）、及び親指部８０７を備えた親指形成マンドレル又はアイロン８０５が示されている。図８において、結合された裏地／挿入部分２９６及びシェル２０２を含み、かつ組付けられているが、まだ接着されていない手袋３００の親指部３０６が、人の手２９０，２９１によって親指形成アイロン８０５上に配置されているが、この過程は自動化可能である。望ましい実施形態において、結合された裏地／挿入部分２９６は、裏地２１２及びシェル２０２の間で平滑化される。その後、親指形成アイロン８０５は目標時間範囲の間、目標温度範囲まで加熱され、親指部３０６の熱活性型接着剤２０４を活性化、又は硬化させ、かつ親指部３０６のシェル２０２，挿入部分２０６，及び裏地２１２の層を接着する。当然、親指形成アイロン又はマンドレル８０５を加熱することは、図１１に示し、かつ以下で説明する加熱及び加圧工程と共に実施することもできる。
【００４０】
図９において、手袋の任意の指３０４を備えた指部３０２はハンドウェア形成アイロン８００を覆って配置され、アイロン８００は目標時間、目標温度まで加熱され、手袋３００の残りの部分に存在する熱活性型接着剤２０４を活性化、又は硬化させ、手袋３００の残りの部分のシェル２０２，裏地２０６，及び裏地２１２の層を接着する。図１０に示す平滑化工具８１５は、シェル２０２，挿入部分２０６，及び裏地２１２の層の間のしわ，隆起，及び折り目を除去し、かつ組付けの過程中に近接した部分及び領域の整合を強化するために用いられる。
【００４１】
目標温度は使用者の通常の活動で発生する温度よりも高く、かつ手袋３００を形成するために用いられる他の材料の溶融又は燃焼温度よりも低い温度である。目標時間は用いる接着剤によって決まる。一つの望ましい実施形態において、ハンドウェア形成マンドレル又はアイロン８００及び親指形成マンドレル又はアイロン８０５は、約５秒から約４５秒の間、カ氏約１５０度（摂氏約６５．５６度）からカ氏約２５０度（摂氏約１２１．１１度）までの範囲に加熱される。別の実施例において、ハンドウェア形成マンドレル又はアイロン８００及び親指形成マンドレル又はアイロン８０５は約３０秒間、カ氏約２８４度（摂氏約１４０度）の温度まで加熱される。
【００４２】
最後に、図１１において、手袋組立品３００を平滑化し、かつ熱活性型接着剤２０４の硬化を確実にするために、スチームアイロン８２０が用いられる。熱活性型接着剤２０４が硬化する際に、適切な手袋の形状を形成することを促進するために十分な時間、例えば２分間、手袋３００をハンドウェア形成アイロン８００上に放置することも望ましい。当然、手袋３００をアイロン８２０で加圧することは上述した図８及び９に示す親指形成アイロン又はマンドレル８０５を加熱する過程と共に実施することが可能である。さらに、図１１は手動の過程を示しているが、この過程は自動化可能であり、二つの分離したアイロン８２０を設け、各々を手袋３００の各側に用いることで過程を速めることができる。さらに、代替的な実施形態は手動式アイロン８２０の代わりに加熱したプラテンを用いる。
【００４３】
本発明の一つ以上の実施形態は、実質的に本明細書に示され、かつ記載されたように、さまざまな実施形態，その結合，及びその一部を含む構成部材，方法，プロセス，システム、及び／又は装置を含む。当業者は、本願を理解した後で、どのように本発明を製造し使用するか理解するであろう。
【００４４】
さまざまな実施形態において、本発明は、本明細書又は本明細書のさまざまな実施形態に示されていない、かつ／もしくは、記載されていない項目がない装置及びプロセスを提供することを含み、例えば、性能を改善したり、簡便性を実現したり、かつ／あるいは実装の費用削減をしたりするために、先述の装置又はプロセスにおいて使用可能であった項目を備えない場合を含む。
【００４５】
本発明の上述の記載は説明のためになされたものである。上述の記載は本発明を本明細書に記載の形態に限定するものではない。本明細書において、例えば、本発明のさまざまな特徴は本開示を簡素化するために一つ以上の実施形態を一緒に分類している。本開示のこの方法は、特許が請求される発明が各請求項に明示的に記載した特徴よりも多くの特徴を要求するということを意図していない。むしろ、特許請求の範囲が反映するように、発明的態様は先に記載した一つの実施形態の全ての特徴よりも少ない。従って、特許請求の範囲はこの明細書の一部となっており、各請求項は本発明の分離した望ましい実施形態として独立している。
【００４６】
さらに、本発明の記載は一つ以上の実施形態及び特定の変形や修正の記載を含んでいるが、例えば、当業者が本開示を理解した後、当業者の技術と知識でできるような他の変形や修正は本発明の権利範囲を逸脱しない。本願の特許請求の範囲に対して代替的な，交換可能な，及び／又は均等的な構成，機能，範囲，工程を含む、許す限りの代替的な実施形態を含む権利を、このような代替的な，交換可能な，及び／又は均等的な構成，機能，範囲，工程が本明細書に記載されているか否かに関わらず、かつ任意の特許可能な対象を公的に記すことなく、取得しようとするものである。
【図１】
2011504553.tif 000003
【図２】
2011504553.tif 000004
【図３Ａ】
2011504553.tif 000005
【図３Ｂ】
2011504553.tif 000006
【図４】
2011504553.tif 000007
【図５】
2011504553.tif 000008
【図６】
2011504553.tif 000009
【図７Ａ】
2011504553.tif 000010
【図７Ｂ】
2011504553.tif 000011
【図８】
2011504553.tif 000012
【図９】
2011504553.tif 000013
【図１０】
2011504553.tif 000014
【図１１】
2011504553.tif 000015
【国際調査報告】
2011504553.tif 000016